(57)【特許請求の範囲】
【請求項１】
作業者に取り付けられる本体部と、前記本体部から前側に延出されたアーム部と、
前記アーム部から下側に延出されたワイヤと、作業者が手で持つことにより荷物を保持するもので前記ワイヤに連結されたハンド部とを備え、
前記ワイヤを巻き取ることにより前記ハンド部を上昇させ且つ前記ワイヤを繰り出すことにより前記ハンド部を下降させる回転体と、前記回転体を巻き取り側及び繰り出し側に回転駆動する電動モータと、前記回転体の回転速度を検出する回転速度センサーと、
人為的に操作される手動操作部と、前記手動操作部の操作信号に基づいて前記電動モータを巻き取り側及び繰り出し側に作動させる制御装置とを備えて、
前記制御装置は、
前記回転速度センサーの検出値に基づいて、前記回転体が予め設定された設定回転速度で巻き取り側に回転するように、前記電動モータを巻き取り側に作動させ、且つ、
前記回転体を前記設定回転速度で巻き取り側に回転させることができない場合、前記回転体の巻き取り側の回転速度が、前記設定回転速度よりも低速の値に維持されるように、前記電動モータを巻き取り側に作動させて、警報を作動させるアシスト器具。
【請求項２】
作業者に取り付けられる本体部と、前記本体部から前側に延出されたアーム部と、
前記アーム部から下側に延出されたワイヤと、作業者が手で持つことにより荷物を保持するもので前記ワイヤに連結されたハンド部とを備え、
前記ワイヤを巻き取ることにより前記ハンド部を上昇させ且つ前記ワイヤを繰り出すことにより前記ハンド部を下降させる回転体と、前記回転体を巻き取り側及び繰り出し側に回転駆動する電動モータと、前記回転体の回転速度を検出する回転速度センサーと、
人為的に操作される手動操作部と、前記手動操作部の操作信号に基づいて前記電動モータを巻き取り側及び繰り出し側に作動させる制御装置とを備えて、
前記制御装置は、
前記回転速度センサーの検出値に基づいて、前記回転体が予め設定された設定回転速度で巻き取り側に回転するように、前記電動モータを巻き取り側に作動させるのであり、
前記本体部から作業者の腰部の右側又は左側に支持部材を延出して、前記支持部材の外側の横面部に張り出し部を備え、
人為的に操作されるもので前記設定回転速度を高速側及び低速側に変更する設定値変更部を、前記張り出し部の上面に備えているアシスト器具。
【請求項３】
前記本体部に支持されて作業者の右の大腿部に作用する右の脚作用部と、前記本体部に支持されて作業者の左の大腿部に作用する左の脚作用部とを備えて、
前記制御装置は、作業者の右及び左の大腿部を下げて作業者の立ち上がりを補助するように、前記右及び左の脚作用部を下側に作動させるのであり、
前記右又は左の脚作用部が、前記支持部材である請求項２に記載のアシスト器具。
【発明の詳細な説明】
【技術分野】
【０００１】
本発明は、作業者が装着して使用するもので、作業者の作業（動作）を補助するアシスト器具に関する。
【背景技術】
【０００２】
荷物を持ち上げて運んだり、要介護者を抱いたりする作業者を補助するアシスト器具として、特許文献１に開示されているものがある。特許文献１では、胴外骨格（特許文献１の図１の１６０）、胴外骨格から前方に延出された荷吊り上げ機構（特許文献１の図１の２２１）、荷吊り上げ機構を駆動する駆動装置を備えている。
【０００３】
特許文献１では荷吊り上げ機構において、胴外骨格から前側に延出されたアーム部と、アーム部から下側に延出されたワイヤ（特許文献１の図１の２２２）と、作業者が手で持つことにより荷物を保持するものでワイヤに連結されたハンド部（特許文献１の図１の２２３）とが備えられている。
【０００４】
特許文献１では、作業者が胴外骨格を取り付けることにより、アシスト器具を装着するのであり、ハンド部を作業者が手で持つような状態となる。
これにより、アシスト器具を装着した状態において、作業者はハンド部により荷物を保持するのであり、この状態で荷物はハンド部に支持される。作業者はハンド部を手で持つことにより、荷物の位置を安定させる（荷物が振ら付かないようにする）。
本体部に備えられた駆動装置によりワイヤを巻き取ることによって、ハンド部（荷物）を上昇させることができるのであり、駆動装置によりワイヤを繰り出すことによって、ハンド部（荷物）を下降させることができる。
【先行技術文献】
【特許文献】
【０００５】
【特許文献１】特表２０１３−５３１５９３号公報
【発明の概要】
【発明が解決しようとする課題】
【０００６】
前述のように、ワイヤを巻き取り及び繰り出す場合、ワイヤを巻き取り及び繰り出す回転体と、回転体を巻き取り側及び繰り出し側に回転駆動する電動モータとが、駆動装置に備えられている。
本発明は、ハンド部により荷物を保持した状態及びハンド部により荷物を保持していない状態において、ハンド部を適切に上昇させることができるように構成することを目的としている。
【課題を解決するための手段】
【０００７】
［Ｉ］
（構成）
本発明の第１特徴は、アシスト器具において次のように構成することにある。
作業者に取り付けられる本体部と、前記本体部から前側に延出されたアーム部と、
前記アーム部から下側に延出されたワイヤと、作業者が手で持つことにより荷物を保持するもので前記ワイヤに連結されたハンド部とを備え、
前記ワイヤを巻き取ることにより前記ハンド部を上昇させ且つ前記ワイヤを繰り出すことにより前記ハンド部を下降させる回転体と、前記回転体を巻き取り側及び繰り出し側に回転駆動する電動モータと、前記回転体の回転速度を検出する回転速度センサーと、
人為的に操作される手動操作部と、前記手動操作部の操作信号に基づいて前記電動モータを巻き取り側及び繰り出し側に作動させる制御装置とを備えて、
前記制御装置は、
前記回転速度センサーの検出値に基づいて、前記回転体が予め設定された設定回転速度で巻き取り側に回転するように、前記電動モータを巻き取り側に作動させ、且つ、
前記回転体を前記設定回転速度で巻き取り側に回転させることができない場合、前記回転体の巻き取り側の回転速度が、前記設定回転速度よりも低速の値に維持されるように、前記電動モータを巻き取り側に作動させて、警報を作動させる。
【０００８】
（作用及び発明の効果）
ハンド部に荷物を保持していない状態や、ハンド部に軽い荷物を保持している状態であると、ハンド部に掛かる重量は小さなものである。逆にハンド部に重い荷物を保持している状態であると、ハンド部に掛かる重量は大きなものとなる。
本発明の第１特徴によると、回転体の回転速度を検出する回転速度センサーの検出値に基づいて、回転体が予め設定された設定回転速度で巻き取り側に回転するように、電動モータが巻き取り側に作動するので、前述のようにハンド部に掛かる重量が小さな状態でも大きな状態でも、ハンド部（荷物）が一定の速度（設定値）で上昇することになり、ハンド部（荷物）を目的の位置（高さ）に上昇させる作業が、正確に行えるようになる。
【０００９】
［ＩＩ］
（構成）
本発明の第２特徴は、アシスト器具において次のように構成することにある。
作業者に取り付けられる本体部と、前記本体部から前側に延出されたアーム部と、
前記アーム部から下側に延出されたワイヤと、作業者が手で持つことにより荷物を保持するもので前記ワイヤに連結されたハンド部とを備え、
前記ワイヤを巻き取ることにより前記ハンド部を上昇させ且つ前記ワイヤを繰り出すことにより前記ハンド部を下降させる回転体と、前記回転体を巻き取り側及び繰り出し側に回転駆動する電動モータと、前記回転体の回転速度を検出する回転速度センサーと、
人為的に操作される手動操作部と、前記手動操作部の操作信号に基づいて前記電動モータを巻き取り側及び繰り出し側に作動させる制御装置とを備えて、
前記制御装置は、
前記回転速度センサーの検出値に基づいて、前記回転体が予め設定された設定回転速度で巻き取り側に回転するように、前記電動モータを巻き取り側に作動させるのであり、
前記本体部から作業者の腰部の右側又は左側に支持部材を延出して、前記支持部材の外側の横面部に張り出し部を備え、
人為的に操作されるもので前記設定回転速度を高速側及び低速側に変更する設定値変更部を、前記張り出し部の上面に備えている。
【００１０】
（作用及び発明の効果）
ハンド部に荷物を保持していない状態や、ハンド部に軽い荷物を保持している状態であると、ハンド部に掛かる重量は小さなものである。逆にハンド部に重い荷物を保持している状態であると、ハンド部に掛かる重量は大きなものとなる。
本発明の第２特徴によると、回転体の回転速度を検出する回転速度センサーの検出値に基づいて、回転体が予め設定された設定回転速度で巻き取り側に回転するように、電動モータが巻き取り側に作動するので、前述のようにハンド部に掛かる重量が小さな状態でも大きな状態でも、ハンド部（荷物）が一定の速度（設定値）で上昇することになり、ハンド部（荷物）を目的の位置（高さ）に上昇させる作業が、正確に行えるようになる。
前述のように、ハンド部（荷物）が一定の速度（設定回転速度）で上昇する状態において、作業者が設定値変更部を操作することにより、回転体（電動モータ）の回転速度である設定回転速度を高速側及び低速側に変更することができる。
これにより、作業者の技量や作業状況に応じて、ハンド部の適切な上昇速度を設定することができるようになり、作業能率の向上を図ることができる。
【００１１】
【００１２】
アシスト器具を装着した作業者が設定値変更部を操作する場合、設定値変更部が作業者の腰部の右側（左側）に位置しているので、作業者は右手（左手）で設定値変更部を容易に操作することができる。
この場合、設定値変更部が作業者の前側に位置していないので、ハンド部に保持した荷物が作業者の前側に位置したとしても、荷物が設定値変更部に接触することはなく、荷物との接触により設定値変更部が破損するというようなことがない。
【００１３】
［ＩＩＩ］
（構成）
本発明の第３特徴は、本発明の第２特徴のアシスト器具において次のように構成することにある。
前記本体部に支持されて作業者の右の大腿部に作用する右の脚作用部と、前記本体部に支持されて作業者の左の大腿部に作用する左の脚作用部とを備えて、
前記制御装置は、作業者の右及び左の大腿部を下げて作業者の立ち上がりを補助するように、前記右及び左の脚作用部を下側に作動させるのであり、
前記右又は左の脚作用部が、前記支持部材である。
【００１４】
（作用及び発明の効果）
［ＩＩＩ］−１
本発明の第３特徴によると、右及び左の脚作用部を下側に作動させて、作業者の右及び左の大腿部を下側に操作することにより、作業者の立ち上がりを補助することができる。
これにより、作業者がしゃがみ、荷物を手で持ち、立ち上がるという状態において、作業者が楽に立ち上がることができるようになって、作業の能率向上を図ることができる。
【００１５】
［ＩＩＩ］−２
前項［ＩＩＩ］−１に記載のような右及び左の脚作用部は、作業者の右及び左の大腿部に作用するので、作業者の腰部の右側及び左側（作業者の腰部の右側又は左側に近い位置）に位置する。
これにより、設定値変更部を右又は左の脚作用部に備えることにより、右又は左の脚作用部を設定変更部の支持部材に兼用することができて、構造の簡素化の面で有利なものとなる。
【図面の簡単な説明】
【００１６】
【図１】作業者がアシスト器具を装着した状態を示す側面図である。
【図２】作業者がアシスト器具を装着した状態を示す背面図である。
【図３】作業者がアシスト器具を装着した状態を示す正面図である。
【図４】駆動装置の分解斜視図である。
【図５】駆動装置の縦断背面図である。
【図６】回転体の巻き取り側の回転速度の状態を示す図である。
【図７】発明の実施の第２別形態において、作業者がアシスト器具を装着した状態を示す側面図である。
【発明を実施するための形態】
【００１７】
本発明の実施形態における前後方向及び左右方向は、特段の説明がない限り、以下のように記載している。作業者がアシスト器具を装着した状態において、作業者から視て前側が「前」であり、後側が「後」であり、右側が「右」であり、左側が「左」である。
【００１８】
［１］
先ず、アシスト器具の全体構成及び本体部１について説明する。
図１，２，３に示すように、作業者の背中部に取り付けられる本体部１、本体部１の上部から上側に延出された右及び左のアーム部２、本体部１の下部に備えられた右及び左の脚作用部３が備えられており、作業者への装着用の取付ベルト４、右及び左の肩ベルト５が備えられて、アシスト器具が構成されている。
【００１９】
図１，２，３に示すように、本体部１は、右及び左の縦フレーム６、右及び左の縦フレーム６の上部及び中間部に亘って連結された支持板７，８、右及び左の縦フレーム６の下部に亘って連結された横フレーム９等を備えて、枠状に構成されている。右及び左の脚作用部３に取付ベルト４が取り付けられており、右及び左の縦フレーム６に右及び左の肩ベルト５が取り付けられている。支持板８の後面に制御装置１４が連結されており、制御装置１４の後側を覆うように支持板８に連結された支持板１５に、バッテリー１６が取り付けられている。
【００２０】
これにより、図１，２，３に示すように、右及び左の肩ベルト５に作業者の右及び左の腕部（右及び左の肩部）を入れ、取付ベルト４を作業者の腰部に巻き付けて固定することにより、作業者の背中部に本体部１が取り付けられる。
【００２１】
図１，２，３に示すように、アシスト器具及び荷物の重量が取付ベルト４を介して主に作業者の腰部に掛かることになるのであり、アシスト器具及び荷物の重量が作業者の腰部により安定して支持される。右及び左の肩ベルト５は、主に本体部１が作業者の背中部から後方に離れようとする状態を止める機能を発揮する。
【００２２】
［２］
次に、右及び左の脚作用部３について説明する。
図１，２，３に示すように、右及び左の脚作用部３は、基部１０、伝動ケース１１、操作アーム１２及び脚ベルト１３等を備えている。横フレーム９に左右方向にスライド自在に基部１０が支持されており、基部１０の外端部に伝動ケース１１が前向きに連結されている。
【００２３】
図１，２，３に示すように、伝動ケース１１の前部の左右方向の横軸芯Ｐ１周りに、操作アーム１２が揺動自在に支持されており、幅広のベルト状の脚ベルト１３が操作アーム１２の端部に連結されている。複数の平ギヤにより構成された伝動機構（図示せず）が伝動ケース１１の内部に備えられ、電動モータ（図示せず）が基部１０に左右方向に内装されており、電動モータ（図示せず）により伝動機構（図示せず）を介して操作アーム１２が横軸芯Ｐ１周りに揺動駆動される。
【００２４】
前項［１］に記載のように、作業者の背中部に本体部１を取り付ける場合において、作業者が取付ベルト４を腰部に巻き付けて固定する際、取付ベルト４と一緒に、右及び左の脚作用部３（基部１０）が横フレーム９に沿って左右方向に移動可能である。
これにより、取付ベルト４の腰部への巻き付け具合により、作業者の体格に合わせるように右及び左の脚作用部３の間隔が決まるのであり、取付ベルト４により右及び左の脚作用部３の位置が決められた状態となる。
【００２５】
この後、図１，２，３に示すように、作業者は脚ベルト１３を太腿部に巻き付けて、面ファスナ（図示せず）（商品名：マジックテープ（登録商標））により、脚ベルト１３を右及び左の太腿部に取り付ける。
作業者がアシスト器具を装着した状態において、作業者の腰部の右側に右の脚作用部３（伝動ケース１１）が位置し、作業者の腰部の左側に左の脚作用部３（伝動ケース１１）が位置する。
【００２６】
［３］
次に、右及び左のアーム部２について説明する。
図１，２，３に示すように、右及び左の縦フレーム６の上部が、作業者の右及び左の肩部を越えて斜め前側の斜め上側に延出されて、右及び左のアーム部２が構成されており、右及び左のアーム部２の上端部に、案内プーリー３３が回転自在に支持されている。
【００２７】
図１，２，３に示すように、支持板７の後面に駆動装置１７が連結されており、駆動装置１７から、右の２本のワイヤ１８，１９及び左の２本のワイヤ１８，１９が延出されている。支持板７の上部に受け部材２１が連結され、右及び左のアーム部２の上部に受け部材２２が備えられており、ワイヤ１８，１９のアウター１８ｂ，１９ｂが受け部材２１，２２に連結されて、ワイヤ１８，１９のインナー１８ａ，１９ａが駆動装置１７に接続されている。
【００２８】
図１，２，３に示すように、右の２本のワイヤ１８，１９のインナー１８ａ，１９ａが案内プーリー３３に掛けられて下側に延出されており、右の２本のワイヤ１８，１９のインナー１８ａ，１９ａに右のハンド部２０が連結されている。左の２本のワイヤ１８，１９のインナー１８ａ，１９ａが案内プーリー３３に掛けられて下側に延出されており、左の２本のワイヤ１８，１９のインナー１８ａ，１９ａに左のハンド部２０が連結されている。
【００２９】
図１，２，３に示すように、右及び左のハンド部２０は、金属製の板材を断面コ字状（フック状）に折り曲げて構成されており、左右対称の形状となっている。右のハンド部２０に、押しボタン型式の上昇操作スイッチ２３（手動操作部に相当）が備えられており、左のハンド部２０に、押しボタン型式の下降操作スイッチ２４（手動操作部に相当）が備えられている。上昇及び下降操作スイッチ２３，２４は、ハーネス（図示せず）を介して制御装置１４に接続されている。
【００３０】
前項［１］［２］に記載のように、作業者がアシスト器具を装着した状態において、作業者が右手で右のハンド部２０を握るようにして持ち、左手で左のハンド部２０を握るようにして持つ。
前述の状態において、作業者は右手及び左手の親指により上昇及び下降操作スイッチ２３，２４を押し操作する。この場合、上昇及び下降操作スイッチ２３，２４は復帰型に構成されており、作業者が上昇及び下降操作スイッチ２３，２４を押し操作していると、上昇及び下降操作スイッチ２３，２４から操作信号が出力されるのであり、作業者が上昇及び下降操作スイッチ２３，２４の押し操作を止めると、上昇及び下降操作スイッチ２３，２４の操作信号は停止する。
【００３１】
［４］
次に、駆動装置１７について説明する。
図４及び図５に示すように、駆動装置１７は、左右方向の回転軸芯Ｐ２周りに回転自在に左右方向に配置された４個の回転体２５，２６，２７，２８と、４個の回転体２５〜２８の下側に左右方向に配置された電動モータ２９と、電動モータ２９の出力軸２９ａ側の端部と回転体２５〜２８の左の端部（電動モータ２９の出力軸２９ａ側の端部）とに亘って上下方向に配置された伝動機構３０とを備えている。
【００３２】
図４及び図５に示すように、伝動機構３０は、伝動ケース３１と蓋部３２とを備えて構成され、伝動ケース３１に備えられた脚部３１ａが支持板７にボルト連結されている。電動モータ２９の出力軸２９ａ側の端部が伝動ケース３１の下部に連結されており、電動モータ２９の脚部２９ｃが支持板７にボルト連結されている。
【００３３】
図５に示すように、伝動ケース３１と蓋部３２の中間部に、大径の第１ギヤ４１及び小径の第２ギヤ４２が一体で回転するように支持されており、電動モータ２９の出力軸２９ａに連結された出力ギヤ２９ｂが第１ギヤ４１と咬合している。
伝動ケース３１と蓋部３２の上部に、伝動軸３４が回転自在に支持されており、伝動軸３４が伝動ケース３１と蓋部３２から右及び左側に突出している。伝動軸３４に第３ギヤ４３が固定されており、第３ギヤ４３が第２ギヤ４２と咬合している。
【００３４】
図４及び図５に示すように、蓋部３２にブラケット５０が連結されて、ブラケット５０に角度センサー３５（ロータリエンコーダ）（回転速度センサーに相当）が連結されており、角度センサー３５が伝動軸３４の左の端部に接続されている。
【００３５】
図４及び図５に示すように、半円筒状の支持部材３６が備えられている。支持部材３６の左の端部（電動モータ２９の出力軸２９ａ側の端部）に、半円状のフランジ部３６ａが備えられて、フランジ部３６ａが伝動ケース３１の上部に連結されている。支持部材３６の右の端部（電動モータ２９の出力軸２９ａ側の反対側の端部）に、脚部３６ｂが備えられており、脚部３６ｂが支持板７にボルト連結されている。
【００３６】
図４及び図５に示すように、支持部材３６のフランジ部３６ａに、ベアリング３７が支持され、支持部材３６の脚部３６ｂにベアリング３８が支持されている。断面四角状の駆動軸３９がベアリング３７，３８により回転軸芯Ｐ２周りに回転自在に支持されており、駆動軸３９と伝動軸３４とが円筒状の連結部材４０により連結されている。回転体２５〜２８は合成樹脂により円柱状に構成されて、中央部に断面四角状の取付孔が開口されており、取付孔に駆動軸３９が挿入されることにより、回転体２５〜２８が駆動軸３９に取り付けられている。
【００３７】
図４及び図５に示すように、透明の合成樹脂製で半円筒状のカバー部材４５が備えられており、カバー部材４５が、支持部材３６のフランジ部３６ａ及び脚部３６ｂにボルト連結されている。カバー部材４５によりベアリング３７，３８が固定されているのであり、支持部材３６及びカバー部材４５により回転体２５〜２８の外周面が覆われている。
【００３８】
以上の構造により、電動モータ２９の動力が伝動機構３０（第１，２，３ギヤ４１，４２，４３）を介して、駆動軸３９に伝達されて、回転体２５〜２８（駆動軸３９）が巻き取り側及び繰り出し側に回転駆動される。
電動モータ２９に電磁ブレーキ（図示せず）が備えられている。電動モータ２９の作動時に電磁ブレーキは解除状態となり、電動モータ２９の停止時及び非通電時に電磁ブレーキは制動状態となる。
【００３９】
［５］
次に、駆動装置１７とワイヤ１８，１９との接続について説明する。
図４及び図５に示すように、回転体２５〜２８は合成樹脂により円柱状に構成されており、回転体２５〜２８の外周面を複数周に亘って螺旋状（雄ネジ状）に回りながら、回転体２５〜２８の外周面の全幅に亘って連続した１本の溝部が、回転体２５〜２８の外周面に備えられている。
【００４０】
図４及び図５に示すように、回転体２５〜２８の右の横側面に、ワイヤ１８，１９のインナー１８ａ，１９ａが連結されており、ワイヤ１８，１９のアウター１８ｂ，１９ｂの端部が、受け部材２１に連結されている。
【００４１】
以上の構造により、図４及び図５に示すように、回転体２５〜２８が巻き取り側に回転駆動されると、ワイヤ１８，１９のインナー１８ａ，１９ａが回転体２５〜２８の溝部に順に入っていき、ワイヤ１８，１９のインナー１８ａ，１９ａが回転体２５〜２８の溝部に沿って回転体２５〜２８の外周面に螺旋状に巻き付けられる状態となって、ワイヤ１８，１９のインナー１８ａ，１９ａが回転体２５〜２８に巻き取られる（右及び左のハンド部２０が上昇する）。
【００４２】
図４及び図５に示すように、ワイヤ１８，１９のインナー１８ａ，１９ａが回転体２５〜２８の溝部の全ての部分に入った状態となるまで、回転体２５〜２８が巻き取り側に回転駆動されると、これ以上に回転体２５〜２８を巻き取り側に回転駆動することはできない。これにより、ワイヤ１８，１９のインナー１８ａ，１９ａが回転体２５〜２８の溝部の全ての部分に入った状態となるまで、回転体２５〜２８が巻き取り側に回転駆動されたことが、角度センサー３５により検出されると、電動モータ２９が自動的に停止する。
【００４３】
図４及び図５に示すように、回転体２５〜２８が繰り出し側に回転駆動されると、ワイヤ１８，１９のインナー１８ａ，１９ａが回転体２５〜２８の溝部から順に出ていき、ワイヤ１８，１９のインナー１８ａ，１９ａが回転体２５〜２８から繰り出される（右及び左のハンド部２０が下降する）。
【００４４】
図４及び図５に示すように、ワイヤ１８，１９のインナー１８ａ，１９ａが回転体２５〜２８の溝部の全ての部分から出る状態となるまで、回転体２５〜２８が繰り出し側に回転駆動されると、これ以上に回転体２５〜２８を繰り出し側に回転駆動することはできない。これにより、ワイヤ１８，１９のインナー１８ａ，１９ａが回転体２５〜２８の溝部の全ての部分から出る状態となるまで、回転体２５〜２８が繰り出し側に回転駆動されたことが、角度センサー３５により検出されると、電動モータ２９が自動的に停止する。
【００４５】
［６］
例えば、床に置かれた荷物を高い棚やトラックの荷台に置くような場合、作業者がしゃがんで床の荷物を手で持ち、次に手を下に延ばした状態で荷物を持ちながら立ち上がり、次に手で荷物を持ち上げて、荷物を高い棚やトラックの荷台に置くような状態が想定される。
前述の状態において、上昇及び下降操作スイッチ２３，２４の押し操作に基づいて、制御装置１４により右及び左の脚作用部３、駆動装置１７（電動モータ２９）が作動する状態について説明する。
【００４６】
図１，２，３に示すように、作業者がアシスト器具を装着した状態において、作業者が上昇及び下降操作スイッチ２３，２４の両方を押し操作していないと、駆動装置１７は停止し、右及び左の脚作用部３の電動モータは停止状態（自由回転状態）となる。
これにより、作業者が歩行する場合や、作業者が膝部を曲げて腰部を落とす場合（しゃがむ場合）、作業者の太腿部に追従するように操作アーム１２が揺動するのであり、作業者の動作が妨げられることはない。
【００４７】
次に作業者がしゃがんで床の荷物を手で持つ場合、作業者が下降操作スイッチ２４を押し操作すると、電動モータ２９により回転体２５〜２８が繰り出し側に回転駆動されて（ワイヤ１８，１９のインナー１８ａ，１９ａが繰り出されて）、右及び左のハンド部２０が下降する。下降操作スイッチ２４の押し操作を止めると、電動モータ２９が停止して、右及び左のハンド部２０が停止する。
【００４８】
電動モータ２９に電磁ブレーキ（図示せず）が備えられている。電動モータ２９の作動時に電磁ブレーキは解除状態となり、電動モータ２９の停止時及び非通電時に電磁ブレーキは制動状態となる。
これにより、電動モータ２９が停止した状態において、ワイヤ１８，１９のインナー１８ａ，１９ａが繰り出されることはなく、後述するように右及び左のハンド部２０に荷物の重量が掛かっても、右及び左のハンド部２０が下降することはない。
【００４９】
次に作業者は右手（左手）で右（左）のハンド部２０を持ち、右及び左のハンド部２０を荷物に掛けて、作業者が立ち上がることにより荷物を床から持ち上げる。この状態において作業者が上昇操作スイッチ２３を押し操作すると、右及び左の脚作用部３（操作アーム１２）が下側に駆動され、作業者の太腿部が下側に操作されて、作業者の立ち上がりが補助される。
前述のように作業者が立ち上がる際において、前述の電動モータ２９のブレーキ機能により、右及び左のハンド部２０（荷物）が下降することはない。
【００５０】
前述のように、作業者が上昇操作スイッチ２３を押し操作した状態で立ち上がった後、右及び左の脚作用部３（操作アーム１２）が略真下に向く位置に達したことが検出されると、作業者が完全に立ち上がったと判断されて、右及び左の脚作用部３の電動モータは停止状態（自由回転状態）となる。
【００５１】
次に電動モータ２９により回転体２５〜２８が巻き取り側に回転駆動されて（ワイヤ１８，１９のインナー１８ａ，１９ａが巻き取られて）、右及び左のハンド部２０（荷物）が上昇する。所望の位置まで右及び左のハンド部２０（荷物）が上昇すると、上昇操作スイッチ２３の押し操作を止めることにより、電動モータ２９が停止して右及び左のハンド部２０（荷物）が停止する。
【００５２】
次に作業者は荷物を置くべき高い棚やトラックの荷台等へ歩いて移動する。作業者が高い棚やトラックの荷台等に到着して、作業者が下降操作スイッチ２４を押し操作すると、電動モータ２９により回転体２５〜２８が繰り出し側に回転駆動されて（ワイヤ１８，１９のインナー１８ａ，１９ａが繰り出されて）、右及び左のハンド部２０（荷物）が下降する。これにより、荷物を高い棚やトラックの荷台等に置いて、右及び左のハンド部２０を荷物から外す。
以上のようにして、荷物を高い棚やトラックの荷台等に置くと、最初の状態に戻り、次の荷物に対して同様な操作を行う。
【００５３】
［７］
前項［６］に記載の状態において、作業者が上昇操作スイッチ２３を押し操作した状態（角度センサー３５の検出に基づいて、制御装置１４が電動モータ２９を制御する状態）について説明する（その１）。
【００５４】
作業者が上昇操作スイッチ２３を押し操作して、電動モータ２９により回転体２５〜２８が巻き取り側に回転駆動された場合、角度センサー３５の検出値に基づいて、制御装置１４により回転体２５〜２８の巻き取り側の回転速度が検出される。
図６に示すように、回転体２５〜２８の巻き取り側の回転速度に基づいて、回転体２５〜２８の巻き取り側の回転速度が停止状態から徐々に増加するように、電動モータ２９が巻き取り側に作動する（電動モータ２９の駆動力（駆動トルク）が制御される）（時点Ｔ１参照）。
【００５５】
図６に示すように、回転体２５〜２８の巻き取り側の回転速度が停止状態から徐々に増加した後、回転体２５〜２８の巻き取り側の回転速度が設定回転速度ＶＵ１に達すると、回転体２５〜２８の巻き取り側の回転速度が設定回転速度ＶＵ１に維持されように、電動モータ２９が作動する（電動モータ２９の駆動力（駆動トルク）が制御される）（時点Ｔ２参照）。この後、作業者が上昇操作スイッチ２３を押し操作していれば、回転体２５〜２８の巻き取り側の回転速度は設定回転速度ＶＵ１に維持される。
【００５６】
以上のように、右及び左のハンド部２０に荷物を掛けていない状態や、右及び左のハンド部２０に重い荷物を掛けている状態に関係なく、回転体２５〜２８の巻き取り側の回転速度は設定回転速度ＶＵ１に維持される。
【００５７】
図１，２，３に示すように、右の脚作用部３（伝動ケース１１）に張り出し部３ａが備えられ、張り出し部３ａの上面に、設定値変更スイッチ４６（設定値変更部に相当）が上向きに備えられている。設定値変更スイッチ４６は、回転操作自在なダイヤル操作式に構成されており、設定値変更スイッチ４６の操作信号が制御装置１４に入力されている。
これにより、作業者が設定値変更スイッチ４６を操作することによって、図６に示す設定回転速度ＶＵ１を少し低速側の設定回転速度ＶＵ２に変更したり、少し高速側の設定回転速度ＶＵ３に変更したりすることができる。
【００５８】
［８］
前項［６］に記載の状態において、作業者が上昇操作スイッチ２３を押し操作した状態（角度センサー３５の検出に基づいて、制御装置１４が電動モータ２９を制御する状態）について説明する（その２）。
【００５９】
前項［７］に記載の状態に対して、右及び左のハンド部２０に非常に重い荷物を掛けている状態や、バッテリー１６の残量が少なくなっている状態等のように、回転体２５〜２８の巻き取り側の回転速度を設定回転速度ＶＵ１に維持することができない状態がある。
【００６０】
制御装置１４に、負荷検出部４４がソフトウェアとして備えられており、電動モータ２９を巻き取り側及び繰り出し側に作動させる際に、負荷検出部４４において、電動モータ２９の電流値及び電圧値等に基づいて電動モータ２９に掛かる負荷が検出される。
【００６１】
前述のように電動モータ２９に掛かる負荷が大きいことにより、回転体２５〜２８の巻き取り側の回転速度を設定回転速度ＶＵ１（ＶＵ２，ＶＵ３）に維持することができない場合、負荷検出部４４により過負荷状態であると判断されて、回転体２５〜２８の巻き取り側の回転速度が、設定回転速度ＶＵ１（ＶＵ２，ＶＵ３）よりも低速の値に維持されるように、電動モータ２９が作動して（電動モータ２９の駆動力（駆動トルク）が制御されて）、警報やブザー（図示せず）が作動する。
【００６２】
次に作業者が上昇操作スイッチ２３の押し操作を止めると（時点Ｔ３参照）、電動モータ２９が停止する。
この場合、作業者が上昇操作スイッチ２３の押し操作を止めた瞬間に電動モータ２９が停止するのではなく、作業者が上昇操作スイッチ２３の押し操作を止めてから（時点Ｔ３参照）、回転体２５〜２８の巻き取り側の回転速度が設定回転速度ＶＵ１（ＶＵ２，ＶＵ３）から徐々に低下して、電動モータ２９が停止する（時点Ｔ４参照）。
【００６３】
図６に示すように、電動モータ２９が停止する際の回転体２５〜２８の巻き取り側の回転速度の減速（時点Ｔ３から時点Ｔ４）は、電動モータ２９が作動する際の回転体２５〜２８の巻き取り側の回転速度の増速（時点Ｔ１から時点Ｔ２）よりも、急速なものに設定されている。
これにより、作業者が上昇操作スイッチ２３の押し操作を止めた際、電動モータ２９の停止時のショックが抑えられながら、電動モータ２９の停止があまり遅くならないものとなる。
【００６４】
［発明の実施の第１別形態］
前述の［発明を実施するための形態］において、前項［６］に記載のように、作業者が立ち上がることにより荷物を床から持ち上げる際に、右及び左の脚作用部３（操作アーム１２）が下側に駆動され、作業者の太腿部が下側に操作されて、作業者の立ち上がりが補助される場合、以下の説明のように前項［７］［８］に記載の電動モータ２９と同様に、右及び左の脚作用部３の電動モータの駆動力（駆動トルク）が制御されるように構成してもよい。
【００６５】
右及び左の脚作用部３の電動モータの回転速度（右及び左の脚作用部３（操作アーム１２）の揺動速度）を検出する回転速度センサー（図示せず）が備えられて、回転速度センサーの検出値が制御装置１４に入力される。
これにより、作業者が立ち上がる際、右及び左の脚作用部３（操作アーム１２）が停止状態から下側に駆動される場合、右及び左の脚作用部３の電動モータの回転速度（右及び左の脚作用部３（操作アーム１２）の揺動速度）が、停止状態から徐々に増加し、この後に設定回転速度に維持される。
【００６６】
次に右及び左の脚作用部３（操作アーム１２）が、作業者が立ち上がった状態に相当する角度Ａ１に近くなると、右及び左の脚作用部３の電動モータの回転速度（右及び左の脚作用部３（操作アーム１２）の揺動速度）が徐々に低下して、右及び左の脚作用部３の電動モータ（右及び左の脚作用部３（操作アーム１２））が停止する。
【００６７】
右及び左の脚作用部３の電動モータ（右及び左の脚作用部３（操作アーム１２））の設定回転速度を、手動操作型式の設定値変更部により、高速側及び低速側に変更できるように構成される。
この場合、右の脚作用部３の電動モータ（右の脚作用部３（操作アーム１２））の設定回転速度、及び、左の脚作用部３の電動モータ（左の脚作用部３（操作アーム１２））の設定回転速度を、別々に独立して高速側及び低速側に変更できるように構成してもよい。
【００６８】
［発明の実施の第２別形態］
前述の［発明を実施するための形態］［発明の実施の第１別形態］において、図７に示すように、設定値変更スイッチ４６を右の脚作用部３（伝動ケース１１）の横側面に横向きに備えるように構成してもよい。
【００６９】
［発明の実施の第３別形態］
前述の［発明を実施するための形態］［発明の実施の第１別形態］［発明の実施の第２別形態］において、設定値変更スイッチ４６を左の脚作用部３（伝動ケース１１）に備えてもよい。
【００７０】
［発明の実施の第４別形態］
前述の［発明を実施するための形態］［発明の実施の第１別形態］〜［発明の実施の第３別形態］において、右及び左の脚作用部３を備えないように構成してもよい。
前述のように右及び左の脚作用部３を備えない場合、アーム状の支持部材（図示せず）を本体部１から作業者の腰部の右側（左側）の位置に延出して、この支持部材に設定値変更スイッチ４６を備えてもよい。
【００７１】
［発明の実施の第５別形態］
前述の［発明を実施するための形態］［発明の実施の第１別形態］〜［発明の実施の第４別形態］において、図１，２，３に示す右のハンド部２０に対して、１本のワイヤ１８及び１個の回転体２５を備え、左のハンド部２０に対して、１本のワイヤ１８及び１個の回転体２８を備えるように構成してもよい。
【００７２】
［発明の実施の第６別形態］
前述の［発明を実施するための形態］［発明の実施の第１別形態］〜［発明の実施の第５別形態］において、右及び左のアーム部２を廃止して、１本のアーム部２を備えてもよい。
前述のように構成した場合、１本のアーム部２から２本のワイヤ１８を延出して、２本のワイヤ１８の一方に右のハンド部２０を備え、２本のワイヤ１８の他方に左のハンド部２０を備える。
又は、１本のアーム部２から１本のワイヤ１８を延出し、１本のワイヤ１８の端部を二股状に分岐させて、分岐部分の一方に右のハンド部２０を備え、分岐部分の他方に左のハンド部２０を備える。
【産業上の利用可能性】
【００７３】
本発明は、作業者が装着して使用するもので、作業者の作業（動作）を補助するアシスト器具に適用できる。
【符号の説明】
【００７４】
１                      本体部
２                      アーム部
３                      脚作用部、支持部材
３ａ                    張り出し部
１４                    制御装置
１８，１９              ワイヤ
２０                    ハンド部
２３，２４              手動操作部
２５〜２８              回転体
２９                    電動モータ
３５                    回転速度センサー
４６                    設定値変更部
ＶＵ１，ＶＵ２，ＶＵ３  設定回転速度
【図１】
0006671179.tif 000002
【図２】
0006671179.tif 000003
【図３】
0006671179.tif 000004
【図４】
0006671179.tif 000005
【図５】
0006671179.tif 000006
【図６】
0006671179.tif 000007
【図７】
0006671179.tif 000008